(57)【特許請求の範囲】
【請求項１】
弾球遊技機の内部に配された賞球通路に接続されるプラスチック製の放出樋と、
該放出樋を貫通させるプラスチック製の背板部材と、
前記放出樋から放出される遊技球を貯留するための凹部を有するプラスチック製の貯留部材と、
前記貯留部材を背面側から前面側に挿通させる挿通孔が開口された枠部と該枠部から前方に突出し前記挿通孔に挿通させた前記貯留部材を支承し該貯留部材の下面側を覆う支承部とを有するプラスチック製の覆部材とからなり、
前記放出樋を前記背板部材又は前記貯留部材と一体となし、
前記覆部材の挿通孔に前記貯留部材を挿通させ、その貯留部材の背後に前記背板部材を当接させた状態で前記背板部材、貯留部材及び覆部材の相対位置を固定する位置固定手段を、前記背板部材、貯留部材及び覆部材のいずれか又は全てに設け、
前記背板部材には、
前記背板部材の一端部に配されて前記弾球遊技機の本体側に設けられているヒンジ軸を挿通させる軸受となるＵ字溝と、
前記Ｕ字溝を挟んで対をなす第１及び第２の閂腕挿通孔と、
前記背板部材の横幅方向に沿って間隔を開けて配された第１及び第２の嵌合孔と
が設けられており、
閂腕、嵌合爪及び摘部を有するヒンジ軸保持部材であり、前記嵌合爪を前記第１の嵌合孔に嵌合させて前記閂腕の先端が前記第１の閂腕挿通孔内にとどまる開放位置と前記嵌合爪を前記第２の嵌合孔に嵌合させて前記閂腕が前記第１の閂腕挿通孔を貫通して前記Ｕ字溝を横断し前記閂腕の先端部が前記第２の閂腕挿通孔に挿入される閉鎖位置とに変位可能なヒンジ軸保持部材を備え、
前記ヒンジ軸保持部材を開放位置にして前記Ｕ字溝に前記ヒンジ軸を挿通した後に前記ヒンジ軸保持部材を閉鎖位置にすることで、前記Ｕ字溝に挿通された前記ヒンジ軸により扉状に開閉可能に弾球遊技機に装着される
ことを特徴とする弾球遊技機の受皿。
【請求項２】
請求項１記載の弾球遊技機の受皿において、前記貯留部材と覆部材の一方または双方に設けられて前記挿通孔に挿通させた前記貯留部材の前進方向、上下方向及び左右方向の移動を規制する規制部材と、前記背板部材と前記覆部材の一方または双方に設けられて前記貯留部材の背後に当接させた前記背板部材と前記覆部材とを係合する係合部材とにより、前記位置固定手段を構成したことを特徴とする弾球遊技機の受皿。
【発明の詳細な説明】
【０００１】
【発明の属する技術分野】
本発明は、弾球遊技機の技術分野に属し、詳しくは、弾球遊技機の内部から放出される遊技球を貯留するための受皿に関する。
【０００２】
【従来の技術】
パチンコ機に代表される弾球遊技機は、賞球として放出された遊技球を貯留するための受皿を備えている。受皿には、発射装置に供給する遊技球の貯留皿ともなる上受皿と専ら賞球の貯留用に用いられる下受皿とがある。
【０００３】
上受皿は、弾球遊技機の内部に配された賞球通路に接続される放出樋、弾球遊技機の前面枠に蝶着される背板部材、放出樋から放出される遊技球を貯留するための凹部を有する貯留部材、貯留部材の下面側を覆うカバー部材を備えていた。これらの部材のうち背板部材は金属板を用い、放出樋、貯留部材及びカバー部材はプラスチック製とすることが多かった。なお、特開平７−２３６７５３号公報には背板部材をプラスチック製にする例が開示されている。
【０００４】
こうした従来の上受皿では、放出樋、貯留部材及びカバー部材はボルトやビス等のねじ類を用いて背板部材に固定されており、背板部材に固定される部品（例えば貯留部材とカバー部材）同士の連結においてもねじ類が用いられていた。
また下受皿は、上受皿とは詳細な構造が異なるものの、プラスチック製の部材をボルトやビス等で連結して構成する点では同様であった。
【０００５】
【発明が解決しようとする課題】
すなわち、従来の受皿は金属部品とプラスチック部品とが混在していたので、例えば廃棄やリサイクルに当たっては分解、分別が必要であり、そのための作業も簡単ではなかった。
【０００６】
本発明は、弾球遊技機の受皿をプラスチック部品のみで構成することにより、廃棄やリサイクルに当たっての分解、分別作業を不要とし、リサイクルを容易にすることで資源の有効利用を増進させることを目的としている。
【０００７】
【課題を解決するための手段および発明の効果】
上記課題を解決するための手段としての請求項１記載の弾球遊技機の受皿は、弾球遊技機の内部に配された賞球通路に接続されるプラスチック製の放出樋と、該放出樋を貫通させるプラスチック製の背板部材と、前記放出樋から放出される遊技球を貯留するための凹部を有するプラスチック製の貯留部材と、前記貯留部材を背面側から前面側に挿通させる挿通孔が開口された枠部と該枠部から前方に突出し前記挿通孔に挿通させた前記貯留部材を支承し該貯留部材の下面側を覆う支承部とを有するプラスチック製の覆部材とからなり、前記放出樋を前記背板部材又は前記貯留部材と一体となし、前記覆部材の挿通孔に前記貯留部材を挿通させ、その貯留部材の背後に前記背板部材を当接させた状態で前記背板部材、貯留部材及び覆部材の相対位置を固定する位置固定手段を、前記背板部材、貯留部材及び覆部材のいずれか又は全てに設け、
前記背板部材には、
前記背板部材の一端部に配されて前記弾球遊技機の本体側に設けられているヒンジ軸を挿通させる軸受となるＵ字溝と、
前記Ｕ字溝を挟んで対をなす第１及び第２の閂腕挿通孔と、
前記背板部材の横幅方向に沿って間隔を開けて配された第１及び第２の嵌合孔と
が設けられており、
閂腕、嵌合爪及び摘部を有するヒンジ軸保持部材であり、前記嵌合爪を前記第１の嵌合孔に嵌合させて前記閂腕の先端が前記第１の閂腕挿通孔内にとどまる開放位置と前記嵌合爪を前記第２の嵌合孔に嵌合させて前記閂腕が前記第１の閂腕挿通孔を貫通して前記Ｕ字溝を横断し前記閂腕の先端部が前記第２の閂腕挿通孔に挿入される閉鎖位置とに変位可能なヒンジ軸保持部材を備え、
前記ヒンジ軸保持部材を開放位置にして前記Ｕ字溝に前記ヒンジ軸を挿通した後に前記ヒンジ軸保持部材を閉鎖位置にすることで、前記Ｕ字溝に挿通された前記ヒンジ軸により扉状に開閉可能に弾球遊技機に装着される
ことを特徴とする。
【０００８】
この弾球遊技機の受皿は、放出樋、背板部材、貯留部材及び覆部材からなり、これら各部材をプラスチック製とし、放出樋を背板部材又は貯留部材と一体となしている。また、背板部材、貯留部材及び覆部材のいずれか又は全てに設けられる位置固定手段もプラスチック製である。
【０００９】
そして、覆部材の挿通孔に貯留部材を挿通させ、その貯留部材の背後に背板部材を当接させた状態で、位置固定手段によって背板部材、貯留部材及び覆部材の相対位置を固定すれば受皿の組立が完了し、それを弾球遊技機の本体側例えば前面枠に取付ければよい。
【００１０】
受皿を構成する各部は全てプラスチック製で、それらの連結に当たってボルトやビス等の金属製のねじ類は用いないから、廃棄やリサイクルに当たっての分解、分別作業は不要となり、リサイクルは容易になる。よって弾球遊技機に関わる資源の有効利用を増進させることができる。
また、背板部材には、ヒンジ軸を挿通させるためのＵ字溝と、Ｕ字溝を挟んで対をなす第１及び第２の閂腕挿通孔と、背板部材の横幅方向に沿って間隔を開けて配された第１及び第２の嵌合孔とが設けられており、閂腕、嵌合爪及び摘部を有するヒンジ軸保持部材は、
嵌合爪を第１の嵌合孔に嵌合させて閂腕の先端が第１の閂腕挿通孔内にとどまる開放位置と嵌合爪を第２の嵌合孔に嵌合させて閂腕が第１の閂腕挿通孔を貫通してＵ字溝を横断し閂腕の先端部が第２の閂腕挿通孔に挿入される閉鎖位置とに変位可能である。
受皿は、ヒンジ軸保持部材を開放位置にしてＵ字溝にヒンジ軸を挿通した後にヒンジ軸保持部材を閉鎖位置にすることで、Ｕ字溝に挿通されたヒンジ軸により扉状に開閉可能に弾球遊技機に装着されるが、その着脱はヒンジ軸保持部材を操作するだけで可能であるから着脱作業が容易である。
【００１１】
位置固定手段としては請求項２記載のものを採用できる。その請求項２記載の弾球遊技機の受皿は、請求項１記載の弾球遊技機の受皿において、前記貯留部材と覆部材の一方または双方に設けられて前記挿通孔に挿通させた前記貯留部材の前進方向、上下方向及び左右方向の移動を規制する規制部材と、前記背板部材と前記覆部材の一方または双方に設けられて前記貯留部材の背後に当接させた前記背板部材と前記覆部材とを係合する係合部材とにより、前記位置固定手段を構成したことを特徴とする。
【００１２】
貯留部材の前進方向の移動の規制は、覆部材の貯留部材の前端が突き当たる位置に壁状の部材を設けることで実現できる。なお、前進方向とは、貯留部材を、覆部材の挿通孔に挿通させる際の前進方向であり、覆部材の背面側から前面側に向かう方向である。
【００１３】
貯留部材の上下方向の移動の規制は、貯留部材と覆部材の一方に水平方向に沿った溝状部を形成しその溝状部に他方の部材一部を受け容れて貯留部材の上下方向の移動を規制する構成で実現きる。
あるいは、軸が貯留部材の前進方向に沿った規制孔を貯留部材と覆部材の一方に設け他方に設けた突起をその規制孔に嵌合させるような構造とすれば、この嵌合によって貯留部材の上下方向及び左右方向の移動を規制でき、突起の根本付近が規制孔に進入できないことにより貯留部材の前進方向の移動を規制できる。
【００１４】
また、貯留部材の左右方向への移動の規制は、挿通孔と貯留部材の外周とのクリアランスを調節することによって実現できるし、貯留部材と覆部材の一方に前後方向に沿った溝状部を形成しその溝状部に他方の部材の一部を受け容れて貯留部材の左右方向の移動を規制する構造としてもよい。
【００１５】
もちろん、これらの構造を組み合わせて、または重複採用して貯留部材の前進方向、上下方向及び左右方向の移動を規制することもできる。
係合部材としては、例えば背板部材と覆部材との一方に係合突起を設け、他方にはこの係合突起と係合する係合凹部、係合孔あるいは係合段差を設ければよい。
【００１６】
このような規制部材と係合部材とによって位置固定手段を構成しているので、覆部材の挿通孔に貯留部材を挿通させれば、規制部材によって貯留部材の前進方向、上下方向及び左右方向の移動が規制され、貯留部材の背後に当接させた背板部材と覆部材とを係合部材によって係合すれば、背板部材と覆部材とが連結され、背板部材が貯留部材の後退方向の移動を規制する。これにより背板部材、貯留部材及び覆部材の相対位置が固定されるから、受皿の組立が完了する。背板部材と覆部材とを係合させるだけで組立が完了するから、組立に要する工数はきわめて少なく、また組立作業も簡単である。
【００１７】
【発明の実施の形態】
次に、本発明の弾球遊技機の受皿をパチンコ機の上受皿として具体化した例を図面を参照して説明することにより発明の実施の形態を説明する。なお、パチンコ機の本体側の構造は公知技術に従っているので図示及び説明を省略する。
【００１８】
【具体例】
まず、具体例の上受皿１０の前面側からの斜視図である図１、背面側からの斜視図である図２、上受皿１０の平面図及び背面図を示す図３、前面側からの分解斜視図である図４、背面側からの分解斜視図である図５、一部分解状態の平面図である図６及び図６の状態における背面側からの斜視図である図７を参照して上受皿１０の構造を説明する。
【００１９】
図４及び図５に示すように、この具体例の上受皿１０は、いずれもプラスチック製の背板部材１２、貯留部材１４、覆部材１６、装飾部材１８、装飾底部材２０、ヒンジ軸保持部材２２及び落下口開閉部材２４により構成され、ソレノイドを備える打球供給器２６が取付けられる。
【００２０】
打球供給器２６は、背板部材１２の背面に設けられている係止爪２８、３２を係止部３０、３４に挿通させて端縁に係止させることにより背板部材１２に取付けられるが、係止爪２８、３２の係止を解除するだけで背板部材１２から取り外せる。打球供給器２６には導入口３６と排出口３８が設けられており、背板部材１２に取付けられたときには導入口３６が背板部材１２の球出口４０に対面して接続される。そして、ソレノイドによって揺動部材（図示略）を１往復揺動させる毎に、遊技球を１球ずつ導入口３６から導入して排出口３８から排出する。排出された遊技球はパチンコ機の本体側に設けられている発射レール（図示略）上に落下し発射装置（図示略）によって発射されることになる。
【００２１】
図１〜図７に示すように、背板部材１２の一方の端部にはＵ字溝４２が設けられており、パチンコ機の本体側に設けられているヒンジ軸（図示略）を挿通させる軸受となる。ヒンジ軸保持部材２２は、このＵ字溝４２を開放（ヒンジ軸をＵ字溝４２に入出可能な状態）、閉鎖（ヒンジ軸をＵ字溝４２内に保持する状態）するための部材である。
【００２２】
図３〜図５に示すように、ヒンジ軸保持部材２２は、一対の閂腕４４、嵌合爪４６及び摘部４８を備えている。一方、背板部材１２は、図５及び図７に示すように、閂腕４４のそれぞれに対応する位置に閂腕挿通孔４７、４９が設けられており、図３に示されるように閂腕４４を挿通させることができる。また、背板部材１２は、図３、図４及び図７に示すように、一対の嵌合孔５０、５２が設けられており、それぞれヒンジ軸保持部材２２の嵌合爪４６を嵌合させることができる。嵌合爪４６を嵌合孔５２に嵌合させたときには、図３に示されるように閂腕４４がＵ字溝４２を横断して閂腕挿通孔４９に達しており、Ｕ字溝４２内にヒンジ軸が挿通されていれば、そのヒンジ軸がＵ字溝４２から離脱することはない。また、図示は省略するが、嵌合爪４６を嵌合孔５０に嵌合させたときには、閂腕４４の先端は挿通孔４７内にとどまってＵ字溝４２を開放するので、ヒンジ軸をＵ字溝４２内に挿通させあるいはＵ字溝４２から離脱させることができる。摘部４８は、嵌合爪４６を嵌合孔５０、５２に押し込み、引き抜くために使用される。また、嵌合爪４６を嵌合孔５０、５２に押し込み又は引き抜く際には、嵌合爪４６及び摘部４８が連設されている腕状の部分が弾性変形される。
【００２３】
図１〜図７に示すように、背板部材１２には、背面側に突出する放出樋５４が設けられている。この放出樋５４は、図３及び図４に示されるように背板部材１２の前面側に開口しており、上受皿１０がパチンコ機に装着された際にはパチンコ機の内部に配された賞球通路（図示しない）に接続され、賞球通路から流入する遊技球を前面側の開口から吐出することになる。
【００２４】
図２〜図７に示すように、背板部材１２の中央付近には前面側に突出するボス受５６が設けられている。一方、図４及び図５に示すように、覆部材１６には一対のボス５８が設けられており、上受皿１０を組立てた際には、図３に示されるようにボス５８がボス受５６の先端部に嵌合される。
【００２５】
図２〜図７に示すように、背板部材１２には、背面側が開放された溝状の球抜路６０が設けられ、図４及び図６に示すように球抜路６０の上端は球抜口６２として開口している。上受皿１０がパチンコ機に装着された際には、この球抜路６０は下受皿に通じる球抜樋（図示しない）が接続され、球抜口６２から球抜路６０に流入した遊技球が下受皿に導かれる。
【００２６】
図１〜図７に示すように、背板部材１２のＵ字溝４２とは反対側の端部には鈎状の係止部材６４が設けられており、この係止部材６４をパチンコ機本体側に設けられている係止鈎（図示しない）にて係止することで、Ｕ字溝４２に挿通されたヒンジ軸により扉状に開閉可能にパチンコ機に装着された上受皿１０を閉鎖状態にロックすることができる。
【００２７】
図４〜図６に示すように、背板部材１２の前面側にはバネ体保持ピン６６が立設されており、このバネ体保持ピン６６には、落下口開閉部材２４のＵ字状の弾性変形部６８の先端に形成されたフック部７０が外嵌される。また、図４及び図６に示すように、バネ体保持ピン６６に隣接して一対のガイドレール７２、７４が互いに対向して設けられている。これらガイドレール７２、７４は落下口開閉部材２４のスライド部７６の案内部材であり、スライド部７６はガイドレール７２、７４に沿って往復移動する。さらに、球抜口６２の上方には、下面側が傾斜している球押７５が設けられている。
【００２８】
図４〜図７に示すように、背板部材１２の上縁には３箇所の上係合突起７８が係合部材として設けられている。また、図示は省略するが背板部材１２の下縁にも上係合突起７８と対象に３箇所の下係合突起が係合部材として設けられている。一方、図１〜図６に示すように、覆部材１６の上縁には上係合突起７８に対応する位置に係合部材となる上係合孔８０が設けられ、図４、図５及び図７に示すように、覆部材１６の下縁には下係合突起に対応する位置に係合部材となる下係合孔８２が設けられている。そして、上係合突起７８を上係合孔８０に係合させ、下係合突起を下係合孔８２に係合させることができる。
【００２９】
図２〜図５及び図７に示すように、背板部材１２の下縁に沿って電線類を通すためのピット８４が設けられ、電線類を貫通させるための貫通孔８６が開口されている。
図５に示すように、落下口開閉部材２４は遊技球が通過可能な寸法の切欠８８を有する開閉板９０を備えており、図４及び図５に示すように上面板９２には摘９４が取付けられている。上受皿１０を組み立てた際には、落下口開閉部材２４は図７に示される位置になり、貯留部材１４の凹部９６に連設された整流部９８の先端の落下口１００を閉塞する。このとき、整流部９８を流下してきた遊技球は、開閉板９０の上を通って球出口４０に流れ込む。
【００３０】
ただし、摘９４を操作して開閉板９０を図７における左方向に移動させて切欠８８を落下口１００に整合させることができ、その場合には整流部９８からの遊技球を落下口１００から落下させることができる。また、上受皿１０を組み立てた際には、落下口１００が球抜口６２の直上に位置し、落下口１００から落下した遊技球は球抜路６０に流入して下受皿に導かれる。
【００３１】
また、球押７５は、整流部９８の末端ないし落下口１００にわたる部分で遊技球が２段以上に重なるのを防止するものである。
図１〜図６に示すように、貯留部材１４には前述の凹部９６が形成され、凹部９６及び整流部９８は堤状の堰堤部１０２に囲まれている。この堰堤部１０２の上面には前述の摘９４の移動域となる摘孔１０４が設けられ、図１〜図３及び図６に示されるように摘９４が摘孔１０４を貫通して配される。図３〜図７に示すように、貯留部材１４には、堰堤部１０２の一部を切り取った形態で装飾部材設置域１０６が設けられている。この装飾部材設置域１０６は装飾部材１８を取付けるための領域で、装飾部材１８の外形に整合する形状をしている。また、装飾部材設置域１０６には電線類を通すための開口１０８、１１０が設けられている。
【００３２】
図５に示すように、装飾部材１８には係合孔１０９が設けられ、装飾底部材２０には係合爪１１１が設けられており、係合爪１１１を係合孔１０９に係合させることで両部材が連結され箱状となる。
本具体例の場合、この箱状の部材は単なる装飾部品であるが、上受皿１０をプリペイドカードリーダを備えるＣＲ機と呼ばれる種類の弾球遊技機に装着する場合には、装飾部材１８を、その上面から貸出ボタン及び精算ボタンを操作でき残高表示器の表示を視認できる構造に変更し、その内部には、これら貸出ボタン、精算ボタン及び残高表示器が接続され、貸出ボタン及び精算ボタンからの信号を弾球遊技機の制御装置に送信し、制御装置からの指示に応じて残高表示器の表示を制御する回路基板を内蔵させればよい。そして、回路基板に接続される電線類は、開口１０８、１１０を通して配線すればよい。
【００３３】
なお、貯留部材１４の堰堤部１０２の下面側は空洞となっており、その空洞の装飾部材設置域１０６の背後になる部分は落下口開閉部材２４を収容するために用いられる。
図４、図５及び図７に示すように、貯留部材１４の外縁の左右端部には位置決溝１１２が設けられており、貯留部材１４を覆部材１６に組み付けた際には、図７に示されるように覆部材１６に位置決リブ１１４の下端が位置決溝１１２に挿通される。これら位置決溝１１２及び位置決リブ１１４は、貯留部材１４の左右方向の移動を規制する規制部材として機能する。
【００３４】
覆部材１６は挿通孔１１６が開口された枠部１１８と枠部１１８から前方に突出する支承部１２０とからなり、前述したように枠部１１８の上縁には上係合孔８０が設けられ、下縁には下係合孔８２が設けられている。また、上縁及び下縁の端部には背板部材１２のＵ字溝４２に対応する位置にＵ字切欠１２２が設けられている。また、図１に示すように、挿通孔１１６の左右の上隅部１１６ａ、１１６ｂの内周形状は、貯留部材１４の堰堤部１０２の左右の上端部１０２ａ、１０２ｂの外周形状に整合しており、挿通孔１１６に貯留部材１４を挿通させた際には上隅部１１６ａ、１１６ｂと上端部１０２ａ、１０２ｂとが緩みなくはめ合わせられる。これら上隅部１１６ａ、１１６ｂは貯留部材１４の左右方向の移動を規制する規制部材としても機能する。
【００３５】
図４及び図５に示すように、支承部１２０は椀状であり、その上縁部１２４の形状は貯留部材１４の外縁の形状に整合している。上縁部１２４には規制部材としての嵌合突起１２６ａ〜１２６ｅが設けられており、貯留部材１４の外縁にはこれら嵌合突起１２６ａ〜１２６ｅに対応する嵌合孔１２８（嵌合突起１２６ｃ〜１２６ｅに対応する嵌合孔の図示は省略）が規制部材として設けられている。
【００３６】
この上受皿１０の組立は次のように行われる。
まず貯留部材１４を覆部材１６の背面側から挿通孔１１６に挿通させ、位置決リブ１１４の下端を位置決溝１１２に挿通させると共に、嵌合突起１２６ａ〜１２６ｅをそれぞれ対応する嵌合孔１２８に嵌合させる。これにより、貯留部材１４の前進方向、左右方向及び上下方向の位置が決まる（図６及び図７参照）。
【００３７】
次に、係合爪１１１を係合孔１０９に係合させて装飾部材１８と装飾底部材２０とを連結して箱状にしたものを、装飾部材設置域１０６に係合により組み付ける。前述したＣＲ機の場合には、装飾部材１８に内蔵される回路基板等からの配線を開口１０８、１１０に通す必要があるので、貯留部材１４を覆部材１６に組み付ける前に装飾部材設置域１０６に組み付けておくとよい。また、この場合には、開口１０８、１１０を通した配線を、次の背板部材１２の組付けの前に、背板部材１２の貫通孔８６から引き出しておく。
【００３８】
そして、落下口開閉部材２４を背板部材１２の前面側に保持させて、この落下口開閉部材２４を貯留部材１４の空洞内に入れるべく、斜め下方から押し上げるようにして背板部材１２を覆部材１６の背面側に対面させる。続いて背板部材１２を覆部材１６の背面側から押し込み、背板部材１２の上係合突起７８を覆部材１６の上係合孔８０に係合させ、背板部材１２の下係合突起を覆部材１６の下係合孔８２に係合させる。この際、覆部材１６の上縁及び下縁は上係合突起７８及び下係合突起を通過させるためにわずかに弾性変形し、上係合突起７８と上係合孔８０の係合、下係合突起と下係合孔８２の係合の完了に伴って復元する。また、この背板部材１２の押し込みによりボス５８がボス受５６に嵌合され、支承部１２０の中央部の変形を防止する。
【００３９】
こうして背板部材１２と覆部材１６とが連結されて互いに相対位置が固定されると共に、背板部材１２の前面１２ａが貯留部材１４の後端１４ａに当接され、貯留部材１４の後退方向への移動が阻止される。
このようにして、背板部材１２、貯留部材１４、覆部材１６、装飾部材１８、装飾底部材２０及び落下口開閉部材２４が互いに連結されて一体的な構造とされる。ヒンジ軸保持部材２２は、この後に取付けてもよいし、予め背板部材１２に取付けておいてもよい。こうして組み立てられた上受皿１０に打球供給器２６を取付けてから、ヒンジ軸保持部材２２を操作してＵ字溝４２にヒンジ軸を挿通させれば上受皿１０のパチンコ機への取付が完了する。
【００４０】
以上説明したように、この上受皿１０を構成する背板部材１２、貯留部材１４、覆部材１６、装飾部材１８、装飾底部材２０、ヒンジ軸保持部材２２及び落下口開閉部材２４は、いずれもプラスチック製であり、これらの連結に当たってボルト、ビス等のねじ類や他の金属部品はまったく使用していない。したがって、上受皿１０の廃棄に当たっては、プラスチックと金属類を分別する必要はなく、そのままの状態で粉砕し、再生原料とすることができる。
【００４１】
なお、打球供給器２６はソレノイドを有することから上受皿１０の粉砕に先立って取外す必要があるが、これは簡単に取外すことができるので廃棄作業の妨げとはならない。
このように、本具体例の上受皿１０は、打球供給器２６を除いてはプラスチック部品のみで構成されているので、廃棄やリサイクルに当たっての分解、分別作業は不要となり、リサイクルも容易になる。よって資源の有効利用を増進させることができる。
【００４２】
しかも、部品同士を嵌合あるいは係合させるだけで組立が完了するから、組立に要する工数はきわめて少なく、また組立作業も簡単である。
以上、具体例に従って、本発明の実施の形態について説明したが、本発明はこのような具体例に限定されるものではなく、本発明の要旨を逸脱しない範囲でさまざまに実施できることは言うまでもない。
【００４３】
例えば、具体例では、発射装置に供給する遊技球の貯留皿ともなる上受皿を例にして本発明の実施の形態を説明したが、専ら賞球の貯留用に用いられる下受皿に本発明を適用することもできる。
【図面の簡単な説明】
【図１】  具体例の上受皿の前面側からの斜視図である。
【図２】  具体例の上受皿の背面側からの斜視図である。
【図３】  具体例の上受皿の説明図であり、図３（ａ）は装飾部材を取外した状態の平面図、図３（ｂ）は背面図である。
【図４】  具体例の上受皿の前面側からの分解斜視図である。
【図５】  具体例の上受皿の背面側からの分解斜視図である。
【図６】  具体例の上受皿の一部分解状態の平面図である。
【図７】  具体例の上受皿の図６の状態における背面側からの斜視図である。
【符号の説明】
１０…上受皿（弾球遊技機の受皿）    １２…背板部材    １２ａ…前面
１４…貯留部材    １４ａ…後端    １６…覆部材    １８…装飾部材
２０…装飾底部材    ２２…ヒンジ軸保持部材    ２４…落下口開閉部材
２６…打球供給器    ２８…係止爪    ３０…係止部    ３６…導入口
３８…排出口    ４０…球出口    ４２…Ｕ字溝    ４４…閂腕
４６…嵌合爪    ４７…挿通孔    ４８…摘部    ４９…挿通孔
５０…嵌合孔    ５２…嵌合孔    ５４…放出樋    ５６…ボス受
５８…ボス    ６０…球抜路    ６２…球抜口    ６４…係止部材
６６…バネ体保持ピン    ６８…弾性変形部    ７０…フック部
７２…ガイドレール    ７５…球押    ７６…スライド部
７８…上係合突起（係合部材）    ８０…上係合孔（係合部材）
８２…下係合孔（係合部材）    ８４…ピット    ８６…貫通孔
８８…切欠    ９０…開閉板    ９２…上面板    ９４…摘
９６…凹部    ９８…整流部    １００…落下口      １０２…堰堤部
１０２ａ…上端部    １０４…摘孔    １０６…装飾部材設置域
１０８…開口    １０９…係合孔    １１１…係合爪
１１２…位置決溝（規制部材）    １１４…位置決リブ（規制部材）
１１６…挿通孔    １１６ａ、１１６ｂ…上隅部（規制部材）
１１８…枠部    １２０…支承部    １２２…Ｕ字切欠
１２４…上縁部    １２６ａ〜１２６ｅ…嵌合突起（規制部材）
１２８…嵌合孔（規制部材）
【図１】
0004224145.tif 000002
【図２】
0004224145.tif 000003
【図３】
0004224145.tif 000004
【図４】
0004224145.tif 000005
【図５】
0004224145.tif 000006
【図６】
0004224145.tif 000007
【図７】
0004224145.tif 000008